(57)【要約】      （修正有）【課題】簡単な構造で対象物を設置して地震等の場合に転倒を防止することのできる対象物設置機構を提供する。【解決手段】従来の対象物設置機構にかわって、上架台４または下架台５のうちの一方が上下方向から見て前後方向に離れて配される前後一対の案内部を設けられ、前記上架台または下架台のうちの他方が前後方向に離れて配され前記案内部に前後方向に往復移動自在に案内される前後一対の被案内部を設けられ、前後一対の前記案内部のうちの少なくとも一つの前記案内部が前後方向に延びる長尺の溝である案内溝を持ち、前後一対の被案内部のうちの少なくとも一つの前記被案内部が前記案内溝の前後方向に延びる輪郭を形成する左右一対の縁部に案内されて前後方向に転動する球面を形成された車輪を持つ、ものとした。【選択図】図１
2020000333.tif 000002
【特許請求の範囲】
【請求項１】
正面を前方に向けた対象物を設置場所に設置するための対象物設置機構であって、
対象物を支持する上架台と、
設置場所に設けられ前記上架台を下側から支持する下架台と、
を備え、
前記上架台または下架台のうちの一方が上下方向から見て前後方向に離れて配される前後一対の案内部を設けられ、
前記上架台または下架台のうちの他方が前後方向に離れて配され前記案内部に前後方向に往復移動自在に案内される前後一対の被案内部を設けられ、
前後一対の前記案内部のうちの少なくとも一つの前記案内部が上下方向から見て前後方向に延びる案内溝を持ち、
前後一対の被案内部のうちの少なくとも一つの前記被案内部が上下方向から見て前記案内溝の前後方向に延びる輪郭を形成する左右一対の縁部に案内されて前後方向に転動する球面を形成された車輪を持ち、
ことを特徴とする対象物設置機構。
【請求項２】
前記案内溝の前後方向に延びる輪郭を形成する左右一対の縁部の幅が前方または後方のうちの一方に推移するのにつれて狭くなる、
ことを特徴とする請求項１に記載の対象物設置機構。
【請求項３】
前記案内溝の前後一対の端部のうちの一方の前記端部が１８０度を超える円弧角度をもつ円弧状に形成され閉じる、
ことを特徴とする請求項２に記載の対象物設置機構。
【請求項４】
前記案内溝の前後一対の端部のうちの左右一対の縁部の幅が狭くなる側の前記端部が１８０度を超える円弧角度をもつ円弧状に形成され閉じる、
ことを特徴とする請求項３に記載の対象物設置機構。
【請求項５】
前記下架台が上下方向から見て前後方向に離れて配される前後一対の案内部を設けられ、
前記上架台が前後方向に離れて配され前記案内部に前後方向に往復移動自在に案内される前後一対の被案内部を設けられ、
前後一対の案内部のうちの前方の前記案内部である前方案内部が上下方向から見て前後方向に延びて前後一対の端部である前端部と後端部とが閉じた長尺の溝である案内溝を持ち、
前記案内溝の前後方向に延びる輪郭を形成する左右一対の縁部の幅が前方に推移するのにつれて狭くなる、
ことを特徴とする請求項４に記載の対象物設置機構。
【請求項６】
前後一対の案内部のうちの前方の前記案内部である前方案内部が上下方向から見て前後方向に延びて前後一対の端部である前端部と後端部とが円弧状に形成されて閉じた長尺の溝である案内溝を持ち、
前記前方案内部の前記案内溝の＜左右一対の縁部の幅が狭くなる側である＞前方の前記端部が１８０度を超える円弧角度をもつ円弧状に形成されて閉じる、
ことを特徴とする請求項５に記載の対象物設置機構。
【請求項７】
前後一対の案内部のうちの後方の前記案内部である後方案内部が上下方向から見て前後方向に延びて前後一対の端部である前端部と後端部とが閉じた長尺の溝である案内溝を持ち、
前記案内溝の前後方向に延びる輪郭を形成する左右一対の縁部の幅が後方に推移するのにつれて狭くなる、
ことを特徴とする請求項６に記載の対象物設置機構。
【請求項８】
前後一対の案内部のうちの後方の前記案内部である後方案内部が上下方向から見て前後方向に延びて前後一対の端部である前端部と後端部とが円弧状に形成されて閉じた長尺の溝である案内溝を持ち、
前記後方案内部の前記案内溝の後方の前記端部が１８０度を超える円弧角度をもつ円弧状に形成されて閉じる、
ことを特徴とする請求項７に記載の対象物設置機構。
【請求項９】
前記上架台が上下方向から見て前後方向に離れて配される前後一対の案内部を設けられ、
前記下架台が前後方向に離れて配され前記案内部に前後方向に往復移動自在に案内される前後一対の被案内部を設けられ、
前後一対の案内部のうちの前方の前記案内部である前方案内部が上下方向から見て前後方向に延びて前後一対の端部である前端部と後端部とが閉じた長尺の溝である案内溝を持ち、
前記案内溝の前後方向に延びる輪郭を形成する左右一対の縁部の幅が後方に推移するのにつれて狭くなる、
ことを特徴とする請求項８に記載の対象物設置機構。
【請求項１０】
前後一対の案内部のうちの前方の前記案内部である前方案内部が上下方向から見て前後方向に延びて前後一対の端部である前端部と後端部とが円弧状に形成されて閉じた長尺の溝である案内溝を持ち、
前記前方案内部の前記案内溝の後方の前記端部が１８０度を超える円弧角度をもつ円弧状に形成されて閉じる、
ことを特徴とする請求項９に記載の対象物設置機構。
【請求項１１】
前後一対の案内部のうちの後方の前記案内部である後方案内部が上下方向から見て前後方向に延びて前後一対の端部である前端部と後端部とが閉じた長尺の溝である案内溝を持ち、
前記案内溝の前後方向に延びる輪郭を形成する左右一対の縁部の幅が前方に推移するのにつれて狭くなる、
ことを特徴とする請求項１０に記載の対象物設置機構。
【請求項１２】
前後一対の案内部のうちの後方の前記案内部である後方案内部が上下方向から見て前後方向に延びて前後一対の端部である前端部と後端部とが円弧状に形成されて閉じた長尺の溝である案内溝を持ち、
前記後方案内部の前記案内溝の前方の前記端部が１８０度を超える円弧角度をもつ円弧状に形成されて閉じる、
ことを特徴とする請求項１１に記載の対象物設置機構。
【請求項１３】
前記案内溝の前後一対の端部のうちの一方の前記端部が１８０度を超える円弧角度をもつ円弧状に形成され閉じる、
ことを特徴とする請求項１に記載の対象物設置機構。
【請求項１４】
前記案内溝の前後一対の端部のうちの左右一対の縁部の幅が狭くなる側の前記端部が１８０度を超える円弧角度をもつ円弧状に形成され閉じる、
ことを特徴とする請求項１に記載の対象物設置機構。
【請求項１５】
前記下架台が上下方向から見て前後方向に離れて配される前後一対の案内部を設けられ、
前記上架台が前後方向に離れて配され前記案内部に前後方向に往復移動自在に案内される前後一対の被案内部を設けられ、
前後一対の案内部のうちの前方の前記案内部である前方案内部が上下方向から見て前後方向に延びて前後一対の端部である前端部と後端部とが閉じた長尺の溝である案内溝を持ち、
前記案内溝の前後方向に延びる輪郭を形成する左右一対の縁部の幅が前方に推移するのにつれて狭くなる、
ことを特徴とする請求項１に記載の対象物設置機構。
【請求項１６】
前記下架台が上下方向から見て前後方向に離れて配される前後一対の案内部を設けられ、
前記上架台が前後方向に離れて配され前記案内部に前後方向に往復移動自在に案内される前後一対の被案内部を設けられ、
前後一対の案内部のうちの前方の前記案内部である前方案内部が上下方向から見て前後方向に延びて前後一対の端部である前端部と後端部とが円弧状に形成されて閉じた長尺の溝である案内溝を持ち、
前記前方案内部の前記案内溝の前方の前記端部が１８０度を超える円弧角度をもつ円弧状に形成されて閉じる、
ことを特徴とする請求項１に記載の対象物設置機構。
【請求項１７】
前記下架台が上下方向から見て前後方向に離れて配される前後一対の案内部を設けられ、
前記上架台が前後方向に離れて配され前記案内部に前後方向に往復移動自在に案内される前後一対の被案内部を設けられ、
前後一対の案内部のうちの後方の前記案内部である後方案内部が上下方向から見て前後方向に延びて前後一対の端部である前端部と後端部とが閉じた長尺の溝である案内溝を持ち、
前記案内溝の前後方向に延びる輪郭を形成する左右一対の縁部の幅が後方に推移するのにつれて狭くなる、
ことを特徴とする請求項１に記載の対象物設置機構。
【請求項１８】
前記下架台が上下方向から見て前後方向に離れて配される前後一対の案内部を設けられ、
前記上架台が前後方向に離れて配され前記案内部に前後方向に往復移動自在に案内される前後一対の被案内部を設けられ、
前後一対の案内部のうちの後方の前記案内部である後方案内部が上下方向から見て前後方向に延びて前後一対の端部である前端部と後端部とが円弧状に形成されて閉じた長尺の溝である案内溝を持ち、
前記後方案内部の前記案内溝の後方の前記端部が１８０度を超える円弧角度をもつ円弧状に形成されて閉じる、
ことを特徴とする請求項１に記載の対象物設置機構。
【請求項１９】
前記上架台が上下方向から見て前後方向に離れて配される前後一対の案内部を設けられ、
前記下架台が前後方向に離れて配され前記案内部に前後方向に往復移動自在に案内される前後一対の被案内部を設けられ、
前後一対の案内部のうちの前方の前記案内部である前方案内部が上下方向から見て前後方向に延びて前後一対の端部である前端部と後端部とが閉じた長尺の溝である案内溝を持ち、
前記案内溝の前後方向に延びる輪郭を形成する左右一対の縁部の幅が後方に推移するのにつれて狭くなる、
ことを特徴とする請求項１に記載の対象物設置機構。
【請求項２０】
前記上架台が上下方向から見て前後方向に離れて配される前後一対の案内部を設けられ、
前記下架台が前後方向に離れて配され前記案内部に前後方向に往復移動自在に案内される前後一対の被案内部を設けられ、
前後一対の案内部のうちの前方の前記案内部である前方案内部が上下方向から見て前後方向に延びて前後一対の端部である前端部と後端部とが円弧状に形成されて閉じた長尺の溝である案内溝を持ち、
前記前方案内部の前記案内溝の後方の前記端部が１８０度を超える円弧角度をもつ円弧状に形成されて閉じる、
ことを特徴とする請求項１に記載の対象物設置機構。
【請求項２１】
前記上架台が上下方向から見て前後方向に離れて配される前後一対の案内部を設けられ、
前記下架台が前後方向に離れて配され前記案内部に前後方向に往復移動自在に案内される前後一対の被案内部を設けられ、
前後一対の案内部のうちの後方の前記案内部である後方案内部が上下方向から見て前後方向に延びて前後一対の端部である前端部と後端部とが＜円弧状に形成されて＞閉じた長尺の溝である案内溝を持ち、
前記案内溝の前後方向に延びる輪郭を形成する左右一対の縁部の幅が前方に推移するのにつれて狭くなる、
ことを特徴とする請求項１に記載の対象物設置機構。
【請求項２２】
前記上架台が上下方向から見て前後方向に離れて配される前後一対の案内部を設けられ、
前記下架台が前後方向に離れて配され前記案内部に前後方向に往復移動自在に案内される前後一対の被案内部を設けられ、
前後一対の案内部のうちの後方の前記案内部である後方案内部が上下方向から見て前後方向に延びて前後一対の端部である前端部と後端部とが円弧状に形成されて閉じた長尺の溝である案内溝を持ち、
前記後方案内部の前記案内溝の前方の前記端部が１８０度を超える円弧角度をもつ円弧状に形成されて閉じる、
ことを特徴とする請求項１に記載の対象物設置機構。
【発明の詳細な説明】
【技術分野】
【０００１】
本発明は、正面を前方に向けた対象物を設置場所に設置するための対象物設置機構に係る。特に、地震等によって設置場所が水平に揺れた際の対象物の支持構造に特徴のある対象物設置機構に関する。
【背景技術】
【０００２】
地震が発生すると、構造物や自動販売機や家具や棚が水平、垂直に揺すられる。また、移動体の中に設けられた構造物や自動販売機や家具や棚が、移動体の移動中に、水平、垂直に揺すられる。
地震等による水平加速度が大きかったり、水平に揺すられる時間が長いと、構造物や自動販売機や家具や棚が転倒したり、棚に並べられたものが棚から落ちてくることがある。
構造物等が転倒したり、棚からものが落ちてくると、周辺にいる人が危害を被ったり、通路を塞いで通行を不能にするといった二次被害を発生させることがある。
従来、この様な事態を防止するために、構造物や自動販売機や家具や棚を設置場所にアンカーボルトで固定したり、十分に踏ん張れるように下部構造の水平長さを長くしたりする。
【発明の概要】
【発明が解決しようとする課題】
【０００３】
しかし、設置場所の事情により、十分な対策が取とりにくいことがある。例えば、設置場所の基礎強度が低く、アンカーボルトで固定しても基礎が破壊することが予測される。また、通路に面していて通路側へ下部構造を十分に伸ばすことができない場合もある。
【０００４】
本発明は以上に述べた問題点に鑑み案出されたもので、簡単な構造で対象物を設置して地震等の場合に転倒を防止することのできる対象物設置機構を提供しようとする。
【課題を解決するための手段】
【０００５】
上記目的を達成するため、本発明に係る正面を前方に向けた対象物を設置場所に設置するための対象物設置機構を、対象物を支持する上架台と、設置場所に設けられ前記上架台を下側から支持する下架台と、を備え、前記上架台または下架台のうちの一方が上下方向から見て前後方向に離れて配される前後一対の案内部を設けられ、前記上架台または下架台のうちの他方が前後方向に離れて配され前記案内部に前後方向に往復移動自在に案内される前後一対の被案内部を設けられ、前後一対の前記案内部のうちの少なくとも一つの前記案内部が上下方向から見て前後方向に延びる長尺の溝である案内溝を持ち、前後一対の被案内部のうちの少なくとも一つの前記被案内部が上下方向から見て前記案内溝の前後方向に延びる輪郭を形成する左右一対の縁部に案内されて前後方向に転動する球面を形成された車輪を持つ、ものとした。
【０００６】
上記本発明の構成により、上架台が、対象物を支持する下架台が、設置場所に設けられ前記上架台を下側から支持する。前記上架台または下架台のうちの一方が上下方向から見て前後方向に離れて配される前後一対の案内部を設けられる。前記上架台または下架台のうちの他方が前後方向に離れて配され前記案内部に前後方向に往復移動自在に案内される前後一対の被案内部を設けられる。前後一対の前記案内部のうちの少なくとも一つの前記案内部の持つ案内溝が、上下方向から見て前後方向に延びる長尺の溝である。前後一対の被案内部のうちの少なくとも一つの前記被案内部の持つ車輪が、上下方向から見て前記案内溝の前後方向に延びる輪郭を形成する左右一対の縁部に案内されて前後方向に転動する球面を形成される。
その結果、対象物が前後に揺れるときに下架台に対し上架台が前後に安定して相対移動する。
【０００７】
以下に、本発明の実施形態に係る対象物設置機構を説明する。本発明は、以下に記載した実施形態のいずれか、またはそれらの中の二つ以上が組み合わされた態様を含む。
【０００８】
また、前記案内溝の前後方向に延びる輪郭を形成する左右一対の縁部の幅が前方または後方のうちの一方に推移するのにつれて狭くなる、
上記本発明に係る実施形態の構成により、前記案内溝の前後方向に延びる輪郭を形成する左右一対の縁部の幅が前方または後方のうちの一方に推移するのにつれて狭くなる。
その結果、前記車輪の球面が前記案内溝に案内されて前後方向に転動するとき、前記車輪の球面の中心が転動に応じて上下する。
【０００９】
また、前記案内溝の前後一対の端部のうちの一方の前記端部が１８０度を超える円弧角度をもつ円弧状に形成され閉じる、
上記本発明に係る実施形態の構成により、前記案内溝の前後一対の端部のうちの一方の前記端部が１８０度を超える円弧角度をもつ円弧状に形成され閉じる。
その結果、前記車輪の球面が前記案内溝に案内されて前後方向に転動して一方の端部に到達すると一方の端部で止まる。
【００１０】
また、前記案内溝の前後一対の端部のうちの左右一対の縁部の幅が狭くなる側の前記端部が１８０度を超える円弧角度をもつ円弧状に形成され閉じる。
上記本発明に係る実施形態の構成により、前記案内溝の前後一対の端部のうちの左右一対の縁部の幅が狭くなる側の前記端部が１８０度を超える円弧角度をもつ円弧状に形成され閉じる。
その結果、前記車輪の球面が前記案内溝に案内されて前後方向に転動して左右一対の縁部の幅が狭くなる側の端部に到達すると左右一対の縁部の幅が狭くなる側の端部で止まって戻りにくくなる。
【００１１】
前記下架台が上下方向から見て前後方向に離れて配される前後一対の案内部を設けられ、前記上架台が前後方向に離れて配され前記案内部に前後方向に往復移動自在に案内される前後一対の被案内部を設けられる。
【００１２】
また、前後一対の案内部のうちの前方の前記案内部である前方案内部が上下方向から見て前後方向に延びて前後一対の端部である前端部と後端部とが閉じた長尺の溝である案内溝を持ち、前記案内溝の前後方向に延びる輪郭を形成する左右一対の縁部の幅が前方に推移するのにつれて狭くなる。
上記本発明に係る実施形態の構成により、前後一対の案内部のうちの前方の前記案内部である前方案内部が上下方向から見て前後方向に延びて前後一対の端部である前端部と後端部とが閉じた長尺の溝である案内溝を持つ。前記案内溝の前後方向に延びる輪郭を形成する左右一対の縁部の幅が前方に推移するのにつれて狭くなる。
その結果、前記車輪の球面が前記案内溝に案内されて前方向に転動するとき、前記車輪の球面の中心が転動に応じて上がる。
【００１３】
また、前後一対の案内部のうちの前方の前記案内部である前方案内部が上下方向から見て前後方向に延びて前後一対の端部である前端部と後端部とが円弧状に形成されて閉じた長尺の溝である案内溝を持ち、前記前方案内部の前記案内溝の前方の前記端部が１８０度を超える円弧角度をもつ円弧状に形成されて閉じる。
上記本発明に係る実施形態の構成により、
前後一対の案内部のうちの前方の前記案内部である前方案内部が上下方向から見て前後方向に延びて前後一対の端部である前端部と後端部とが円弧状に形成されて閉じた長尺の溝である案内溝を持つ。前記前方案内部の前記案内溝の前方の前記端部が１８０度を超える円弧角度をもつ円弧状に形成されて閉じる。
その結果、前記車輪の球面が前記案内溝に案内されて前方向に転動して端部に到達すると、端部で止まって戻りにくくなる。
【００１４】
また、前後一対の案内部のうちの後方の前記案内部である後方案内部が上下方向から見て前後方向に延びて前後一対の端部である前端部と後端部とが閉じた長尺の溝である案内溝を持ち、前記案内溝の前後方向に延びる輪郭を形成する左右一対の縁部の幅が後方に推移するのにつれて狭くなる。
上記本発明に係る実施形態の構成により、前後一対の案内部のうちの後方の前記案内部である後方案内部が上下方向から見て前後方向に延びて前後一対の端部である前端部と後端部とが閉じた長尺の溝である案内溝を持つ。
前記案内溝の前後方向に延びる輪郭を形成する左右一対の縁部の幅が後方に推移するのにつれて狭くなる。
その結果、前記車輪の球面が前記案内溝に案内されて前方向に転動するとき、前記車輪の球面の中心が転動に応じて下がる。
【００１５】
また、前後一対の案内部のうちの後方の前記案内部である後方案内部が上下方向から見て前後方向に延びて前後一対の端部である前端部と後端部とが円弧状に形成されて閉じた長尺の溝である案内溝を持ち、前記後方案内部の前記案内溝の後方の前記端部が１８０度を超える円弧角度をもつ円弧状に形成されて閉じる。
上記本発明に係る実施形態の構成により、前後一対の案内部のうちの後方の前記案内部である後方案内部が上下方向から見て前後方向に延びて前後一対の端部である前端部と後端部とが円弧状に形成されて閉じた長尺の溝である案内溝を持つ。前記後方案内部の前記案内溝の後方の前記端部が１８０度を超える円弧角度をもつ円弧状に形成されて閉じる。
その結果、、前記車輪の球面が前記案内溝に案内されて後方向に転動して端部に到達すると、端部で止まって戻りにくくなる。
【００１６】
また、前記上架台が上下方向から見て前後方向に離れて配される前後一対の案内部を設けられ、前記下架台が前後方向に離れて配され前記案内部に前後方向に往復移動自在に案内される前後一対の被案内部を設けられる。
【００１７】
また、前後一対の案内部のうちの前方の前記案内部である前方案内部が上下方向から見て前後方向に延びて前後一対の端部である前端部と後端部とが閉じた長尺の溝である案内溝を持ち、前記案内溝の前後方向に延びる輪郭を形成する左右一対の縁部の幅が後方に推移するのにつれて狭くなる。
上記本発明に係る実施形態の構成により、前後一対の案内部のうちの前方の前記案内部である前方案内部が上下方向から見て前後方向に延びて前後一対の端部である前端部と後端部とが閉じた長尺の溝である案内溝を持つ。前記案内溝の前後方向に延びる輪郭を形成する左右一対の縁部の幅が後方に推移するのにつれて狭くなる。
その結果、前記車輪の球面が前記案内溝に案内されて前方向に転動するとき、前記車輪の球面の中心が転動に応じて上がる。
【００１８】
また、前後一対の案内部のうちの前方の前記案内部である前方案内部が上下方向から見て前後方向に延びて前後一対の端部である前端部と後端部とが円弧状に形成されて閉じた長尺の溝である案内溝を持ち、前記前方案内部の前記案内溝の後方の前記端部が１８０度を超える円弧角度をもつ円弧状に形成されて閉じる。
上記本発明に係る実施形態の構成により、
前後一対の案内部のうちの前方の前記案内部である前方案内部が上下方向から見て前後方向に延びて前後一対の端部である前端部と後端部とが円弧状に形成されて閉じた長尺の溝である案内溝を持つ。前記前方案内部の前記案内溝の後方の前記端部が１８０度を超える円弧角度をもつ円弧状に形成されて閉じる。
その結果、前記車輪の球面が前記案内溝に案内されて前方向に転動して端部に到達すると、端部で止まって戻りにくくなる。
【００１９】
また、前後一対の案内部のうちの後方の前記案内部である後方案内部が上下方向から見て前後方向に延びて前後一対の端部である前端部と後端部とが閉じた長尺の溝である案内溝を持ち、前記案内溝の前後方向に延びる輪郭を形成する左右一対の縁部の幅が前方に推移するのにつれて狭くなる。
上記本発明に係る実施形態の構成により、前後一対の案内部のうちの後方の前記案内部である後方案内部が上下方向から見て前後方向に延びて前後一対の端部である前端部と後端部とが閉じた長尺の溝である案内溝を持つ。前記案内溝の前後方向に延びる輪郭を形成する左右一対の縁部の幅が前方に推移するのにつれて狭くなる。
その結果、前記車輪の球面が前記案内溝に案内されて前方向に転動するとき、前記車輪の球面の中心が転動に応じて下がる。
【００２０】
また、前後一対の案内部のうちの後方の前記案内部である後方案内部が上下方向から見て前後方向に延びて前後一対の端部である前端部と後端部とが円弧状に形成されて閉じた長尺の溝である案内溝を持ち、前記後方案内部の前記案内溝の前方の前記端部が１８０度を超える円弧角度をもつ円弧状に形成されて閉じる。
上記本発明に係る実施形態の構成により、前後一対の案内部のうちの後方の前記案内部である後方案内部が上下方向から見て前後方向に延びて前後一対の端部である前端部と後端部とが円弧状に形成されて閉じた長尺の溝である案内溝を持つ。前記後方案内部の前記案内溝の前方の前記端部が１８０度を超える円弧角度をもつ円弧状に形成されて閉じる。
その結果、前記車輪の球面が前記案内溝に案内されて後方向に転動して端部に到達すると、端部で止まって戻りにくくなる。
【発明の効果】
【００２１】
以上説明したように本発明に係る  対象物設置機構は、その手順と構成により、以下の効果を有する。
対象物を支持する上架台と設置場所に設けられ前記上架台を下側から支持する下架台の一方に前後一対の案内部をもうけ、他方に案内部に前後方向に往復移動自在に案内される前後一対の被案内部を設け、案内部の持つ案内溝が前後方向に延びる長尺の溝であり、被案内部のもつ車輪が案内溝の左右一対の縁部に案内され転動する球面を形成される様にしたので、対象物が前後に揺れるときに下架台に対し上架台が前後に安定して相対移動する。
また、前記案内溝の前後方向に延びる輪郭を形成する左右一対の縁部の幅が前方または後方のうちの一方に推移するのにつれて狭くなる様にしたので、前記車輪の球面が前記案内溝に案内されて前後方向に転動するとき、前記車輪の球面の中心が転動に応じて上下する。
また、前記案内溝の前後一対の端部のうちの一方の前記端部が１８０度を超える円弧角度をもつ円弧状に形成され閉じる様にしたので、
前記車輪の球面が前記案内溝に案内されて前後方向に転動して一方の端部に到達すると一方の端部で止まる。
また、前記案内溝の前後一対の端部のうちの左右一対の縁部の幅が狭くなる側の記端部が１８０度を超える円弧角度をもつ円弧状に形成され閉じる様にしたので、前記車輪の球面が前記案内溝に案内されて前後方向に転動して左右一対の縁部の幅が狭くなる側の端部に到達すると左右一対の縁部の幅が狭くなる側の端部で止まって戻りにくくなる。
【００２２】
また、前記前方案内部の前記案内溝の前後方向に延びる輪郭を形成する左右一対の縁部の幅が前方に推移するのにつれて狭くなる様にしたので、前記車輪の球面が前記案内溝に案内されて前方向に転動するとき、前記車輪の球面の中心が転動に応じて上がる。
また、前記前方案内部の前記案内溝の前後一対の端部のうちの前方の前記端部が１８０度を超える円弧角度をもつ円弧状に形成され閉じる様にしたので、前記車輪の球面が前記案内溝に案内されて前方向に転動して端部に到達すると、端部で止まって戻りにくくなる。
また、前記後方案内部の前記案内溝の前後方向に延びる輪郭を形成する左右一対の縁部の幅が後方に推移するのにつれて狭くなる様にしたので、前記車輪の球面が前記案内溝に案内されて前方向に転動するとき、前記車輪の球面の中心が転動に応じて下がる。
また、前記後方案内部の前記案内溝の前後一対の端部のうちの後方の前記端部が１８０度を超える円弧角度をもつ円弧状に形成され閉じる様にしたので、前記車輪の球面が前記案内溝に案内されて後方向に転動して端部に到達すると、端部で止まって戻りにくくなる。
【００２３】
また、前記前方案内部の前記案内溝の前後方向に延びる輪郭を形成する左右一対の縁部の幅が後方に推移するのにつれて狭くなる様にしたので、前記車輪の球面が前記案内溝に案内されて前方向に転動するとき、前記車輪の球面の中心が転動に応じて上がる。
また、前記前方案内部の前記案内溝の前後一対の端部のうちの後方の前記端部が１８０度を超える円弧角度をもつ円弧状に形成され閉じる様にしたので、前記車輪の球面が前記案内溝に案内されて前方向に転動して端部に到達すると、端部で止まって戻りにくくなる。
また、前記後方案内部の前記案内溝の前後方向に延びる輪郭を形成する左右一対の縁部の幅が前方に推移するのにつれて狭くなる様にしたので、前記車輪の球面が前記案内溝に案内されて前方向に転動するとき、前記車輪の球面の中心が転動に応じて下がる。
また、前記後方案内部の前記案内溝の前後一対の端部のうちの前方の前記端部が１８０度を超える円弧角度をもつ円弧状に形成され閉じる様にしたので、前記車輪の球面が前記案内溝に案内されて後方向に転動して端部に到達すると、端部で止まって戻りにくくなる。
従って、簡単な構造で対象物を設置して地震等の場合に転倒を防止することのできる対象物設置機構を提供できる。
【図面の簡単な説明】
【００２４】
【図１】本発明の実施形態に係る対象物設置機構の正面図である。
【図２】本発明の実施形態に係る対象物設置機構の側面図である。
【図３】本発明の第一の実施形態に係る対象物設置機構その１の概念図である。
【図４】本発明の第一の実施形態に係る対象物設置機構その２の概念図である。
【図５】本発明の第二の実施形態に係る対象物設置機構その１の概念図である。
【図６】本発明の第二の実施形態に係る対象物設置機構その２の概念図である。
【図７】本発明の第三の実施形態に係る対象物設置機構その１の概念図である。
【図８】本発明の第三の実施形態に係る対象物設置機構その２の概念図である。
【図９】本発明の第四の実施形態に係る対象物設置機構その１の概念図である。
【図１０】本発明の第四の実施形態に係る対象物設置機構その２の概念図である。
【図１１】本発明の第五の実施形態に係る対象物設置機構その１の概念図である。
【図１２】本発明の第五の実施形態に係る対象物設置機構その２の概念図である。
【図１３】本発明の第六の実施形態に係る対象物設置機構その１の概念図である。
【図１４】本発明の第六の実施形態に係る対象物設置機構その２の概念図である。
【発明を実施するための形態】
【００２５】
以下、本発明を実施するための最良の形態を、図面を参照して説明する。
【００２６】
最初に、本発明の実施形態に係る対象物設置機構を説明する
図１は、本発明の実施形態に係る対象物設置機構３の正面図である。図２は、本発明の実施形態に係る対象物設置機構の側面図である。
【００２７】
対象物設置機構３は、正面を前後方向の一方に向けた対象物１を設置場所２に設置するための機構である。
対象物１は、例えば、自動販売機、本棚、資材棚等の構造物である。対象物の正面とは、人が対象物を使用するのに通常にアクセスする側の面である。
ここで、説明の便宜上、対象物の正面が向いた方を前方と、その反対方向を後方と呼称する。
対象物設置機構３は、上架台４と下架台５とを備える。
上架台４は、対象物を支持する。
下架台５は、設置場所に設けられ上架台を下側から支持する。
【００２８】
上架台４または下架台５のうち一方が、上下方向から見て前後方向に離れて配される前後一対の案内部６ｆ、６ｒを設けられる。
上架台４または下架台５のうち一方が、上下方向から見て前後方向に離れて配される前後一対の案内部６ｆ、６ｒを左右に各々に設けられてもよい。
【００２９】
上架台４または下架台５のうちの他方が、前後方向に離れて配され案内部に前後方向に往復移動自在に案内される前後一対の被案内部７ｆ、７ｒを設けられる。
上架台４または下架台５のうちの他方が、前後方向に離れて配され案内部６に前後方向に往復移動自在に案内される前後一対の被案内部７ｆ、７ｒを左右に各々に設けられてもよい。
【００３０】
例えば、上架台４が、上下方向から見て前後方向に離れて配される前後一対の案内部６ｆ、６ｒを設けられ、下架台５が、上下方向から見て前後方向に離れて配される前後一対の案内部６ｆ、６ｒを左右に各々に設けられる。
例えば、  下架台５が、上下方向から見て前後方向に離れて配される前後一対の案内部６ｆ、６ｒを設けられ、上架台４が、上下方向から見て前後方向に離れて配される前後一対の案内部６ｆ、６ｒを左右に各々に設けられる。
【００３１】
前後一対の案内部６ｆ、６ｒのうちの少なくとも一つの案内部６が、上下方向から見て前後方向に延びる案内溝１０を持つ。
前後一対の案内部６ｆ、６ｒが、上下方向から見て前後方向に延びる案内溝１０を各々に持ってもよい。
案内溝１０は、上下方向から見て前後方向に延びて前後一対の端部である前端部１２ｆと後端部１２ｒとが閉じた長尺の溝であってもよい。
案内溝１０は、上下方向から見て前後方向に延びて前後一対の端部である前端部１２ｆと後端部１２ｒとの少なくとも一方の端部が閉じた長尺の溝であってもよい。
案内溝１０は、上下方向から見て前後方向に延びて前後一対の端部である前端部１２ｆと後端部１２ｒとが円弧に形成されて閉じた長尺の溝であってもよい。
案内溝１０は、上下方向から見て前後方向に延びて前後一対の端部である前端部１２ｆと後端部１２ｒの少なくとも一方が円弧に形成されて閉じた長尺の溝であってもよい。
【００３２】
案内溝１０の前後方向に延びる輪郭を形成する左右一対の縁部の幅が前方または後方のうちの一方に推移するのにつれて狭くなってもよい。
案内溝１０が上下方向から見て前後方向に延びて前後一対の端部である前端部と後端部とが閉じた長尺の溝であり、案内溝１０の前後方向に延びる輪郭を形成する左右一対の縁部の幅が前方または後方のうちの一方に推移するのにつれて狭くなってもよい。
【００３３】
案内溝１０の前後一対の端部のうちの一方の端部が１８０度を超える円弧角度をもつ円弧状に形成され閉じてもよい。
案内溝１０の前後一対の端部が１８０度を超える円弧角度をもつ円弧状に形成され閉じてもよい。
案内溝１０が上下方向から見て前後方向に延びて前後一対の端部である前端部と後端部とが円弧状に形成されて閉じた長尺の溝であり、案内溝１０の前後一対の端部のうちの一方の端部が１８０度を超える円弧角度をもつ円弧状に形成され閉じてもよい。
案内溝１０が上下方向から見て前後方向に延びて前後一対の端部である前端部と後端部とが円弧状に形成されて閉じた長尺の溝であり、案内溝１０の前後一対の端部が１８０度を超える円弧角度をもつ円弧状に形成され閉じてもよい。
【００３４】
案内溝１０の前後一対の端部のうちの左右一対の縁部の幅が狭くなる側の一方の端部が１８０度を超える円弧角度をもつ円弧状に形成され閉じてもよい。
案内溝１０が上下方向から見て前後方向に延びて前後一対の端部である前端部と後端部とが円弧状に形成されて閉じた長尺の溝であり、案内溝１０の前後一対の端部のうちの左右一対の縁部の幅が狭くなる側の一方の端部が１８０度を超える円弧角度をもつ円弧状に形成され閉じてもよい。
【００３５】
案内溝１０の前後方向に延びる輪郭を形成する左右一対の縁部の幅が平行であってもよい。
案内溝１０の前後方向に延びる輪郭を形成する左右一対の縁部の幅が平行であり、案内溝１０の前後一対の端部のうちの一方の端部が１８０度を超える円弧角度をもつ円弧状に形成され閉じてもよい。
案内溝１０の前後方向に延びる輪郭を形成する左右一対の縁部の幅が平行であり、案内溝１０の前後一対の端部が１８０度を超える円弧角度をもつ円弧状に形成され閉じてもよい。
【００３６】
前後一対の被案内部７ｆ、７ｒのうちの少なくとも一つの被案内部７が、上下方向から見て案内溝１０の前後方向に延びる輪郭を形成する左右一対の縁部１１に案内されて前後方向に転動する球面２１を形成された車輪２０を持つ。
例えば、前後一対の被案内部７ｆ、７ｒのうちの少なくとも前方の被案内部７ｆが、上下方向から見て案内溝１０の前後方向に延びる輪郭を形成する左右一対の縁部１１に案内されて前後方向に転動する球面２１を形成された車輪２０を持つ。
例えば、前後一対の被案内部７ｆ、７ｒのうちの少なくとも後方の被案内部７ｒが、上下方向から見て案内溝１０の前後方向に延びる輪郭を形成する左右一対の縁部１１に案内されて前後方向に転動する球面２１を形成された車輪２０を持つ。
【００３７】
上架台４が前後方向に移動するとき、車輪２０の球面２１が案内溝１０の前後方向に延びる輪郭を形成する左右一対の縁部１１に案内されて転動する。
上架台４が前後方向に移動するとき、車輪２０の球面２１が案内溝１０の前後方向に延びる輪郭を形成する左右一対の縁部１１に案内されて転動し、前方に移動すると対象物が後方に傾いてもよい。  
上架台４が前後方向に移動するとき、車輪２０の球面２１が案内溝１０の前後方向に延びる輪郭を形成する左右一対の縁部１１に案内されて転動して前方に移動し、車輪２０が案内溝の端部に達すると、対象物が後方に傾いてもよい。  
【００３８】
以下に、本発明の実施形態にかかる対象物設置機構の構造を、本発明の第一乃至第六の実施形態にかかる対象物設置機構その１、その２を例に、図を基に、詳述する。
対象物設置機構その１は、下架台５が上下方向から見て前後方向に離れて配される前後一対の案内部６を設けられ、上架台４が前後方向に離れて配され案内部６に前後方向に往復移動自在に案内される前後一対の被案内部７を設けられる。
対象物設置機構その２は、上架台４が上下方向から見て前後方向に離れて配される前後一対の案内部６を設けられ、下架台５が前後方向に離れて配され案内部６に前後方向に往復移動自在に案内される前後一対の被案内部７を設けられる。
【００３９】
最初に、本発明の第一の実施形態に係る対象物設置機構その１の構造を、図を基に、説明する。
図３は、本発明の第一の実施形態にかかる象物設置機構その１の概念図である。
下架台５が上下方向から見て前後方向に離れて配される前後一対の案内部６ｆ、６ｒを左右に各々に設けられ、上架台４が前後方向に離れて配され案内部６に前後方向に往復移動自在に案内される前後一対の被案内部７ｆ、７ｒを左右に各々に設けられる。
【００４０】
前後一対の案内部６ｆ、６ｒのうちの前方の案内部６である前方案内部６ｆが、案内溝を持つ。
案内溝１０は、上下方向から見て前後方向に延びて前後一対の端部である前端部と後端部とが円弧状に形成されて閉じた長尺の溝である。
案内溝１０の前後方向に延びる輪郭を形成する左右一対の縁部１１が平行である。
【００４１】
前後一対の案内部６ｆ、６ｒのうちの後方の案内部６である後方案内部６ｒが案内溝を持つ。
案内溝１０は、上下方向から見て前後方向に延びて前後一対の端部である前端部と後端部とが円弧状に形成されて閉じた長尺の溝である。
案内溝１０の前後方向に延びる輪郭を形成する左右一対の縁部１１が平行である。
【００４２】
上架台４が前後方向に移動するとき、車輪２０の球面２１が案内溝１０の前後方向に延びる輪郭を形成する左右一対の縁部１１に案内されて転動する。
図３の最下段に、上架台４が前後方向に移動するとき、車輪２０の球面２１が案内溝１０の前後方向に延びる輪郭を形成する左右一対の縁部１１に案内されて転動する様子が示される。
【００４３】
次に、本発明の第一の実施形態にかかる対象物設置機構その２の構造を、図を基に、説明する。
図４は、本発明の第一の実施形態にかかる象物設置機構その２の概念図である。
上架台４が上下方向から見て前後方向に離れて配される前後一対の案内部６ｆ、６ｒを左右に各々に設けられ、下架台５が前後方向に離れて配され案内部６に前後方向に往復移動自在に案内される前後一対の被案内部７ｆ、７ｒを左右に各々に設けられる。
【００４４】
前後一対の案内部６ｆ、６ｒのうちの前方の案内部である前方案内部６ｆが、案内溝１０を持つ。
前方案内溝１０ｆは、上下方向から見て前後方向に延びて前後一対の端部である前端部と後端部とが円弧状に形成されて閉じた長尺の溝である
前方案内溝１０ｆの前後方向に延びる輪郭を形成する左右一対の縁部１１が平行である。
【００４５】
前後一対の案内部６ｆ、６ｒのうちの後方の案内部６である後方案内部６ｒが、案内溝１０を持つ。
後方案内溝１０ｒは、上下方向から見て前後方向に延びて前後一対の端部である前端部と後端部とが円弧状に形成されて閉じた長尺の溝である
後方案内溝１０ｒの前後方向に延びる輪郭を形成する左右一対の縁部１１が平行である。
【００４６】
上架台４が前後方向に移動するとき、車輪２０の球面２１が案内溝１０の前後方向に延びる輪郭を形成する左右一対の縁部１１に案内されて転動する。
図４の最下段に、上架台４が前後方向に移動するとき、車輪２０の球面２１が案内溝１０の前後方向に延びる輪郭を形成する左右一対の縁部１１に案内されて転動する様子が示される。
【００４７】
次に、本発明の第二の実施形態にかかる対象物設置機構その１の構造を、図を基に、説明する。
図５は、本発明の第二の実施形態に係る対象物設置機構その１の概念図である。
下架台５が上下方向から見て前後方向に離れて配される前後一対の案内部６ｆ、６ｒを左右に各々に設けられ、上架台４が前後方向に離れて配され案内部６に前後方向に往復移動自在に案内される前後一対の被案内部７ｆ、７ｒを左右に各々に設けられる。
【００４８】
前後一対の案内部６ｆ、６ｒのうちの前方の案内部６である前方案内部６ｆが、案内溝１０ｆを持つ。
案内溝１０ｆは、上下方向から見て前後方向に延びて前後一対の端部である前端部と後端部とが円弧状に形成されて閉じた長尺の溝である。
案内溝１０ｆの前後方向に延びる輪郭を形成する左右一対の縁部１１の幅が前方に推移するのにつれて狭くなる。
前方案内部６ｆの案内溝の１０ｆの左右一対の縁部の幅が狭くなる側である前端部１２ｆが１８０度を超える円弧角度をもつ円弧状に形成されて閉じる。
前端部１２ｆの１８０度を越える円弧の曲率半径ｒ１は、前端部１２ｆに繋がる位置での左右一対の縁部１１の幅Ｌの１／２の値より大きい。
【００４９】
前後一対の案内部６ｆ、６ｒのうちの後方の案内部６である後方案内部６ｒが、案内溝を持ち、
案内溝１０ｒは、上下方向から見て前後方向に延びて前後一対の端部である前端部と後端部とが円弧状に形成されて閉じた長尺の溝である
案内溝１０ｒの前後方向に延びる輪郭を形成する左右一対の縁部１１の幅が後方に推移するのにつれて狭くなる。
後方案内部６ｒの案内溝１０ｒの左右一対の縁部１１の幅が狭くなる側である後端部１２ｒが１８０度を超える円弧角度をもつ円弧状に形成されて閉じる。
後端部１２ｒの１８０度を越える円弧の曲率半径ｒ１は、後端部１２ｒに繋がる位置での左右一対の縁部１１の幅Ｌの１／２の値より大きい。
【００５０】
上架台４が前後方向に移動するとき、車輪２０の球面２１が案内溝１０の前後方向に延びる輪郭を形成する左右一対の縁部１１に案内されて転動する。
図５の上から４段目に、後方車輪２０ｒの球面２１が後方案内溝１０ｒの後端部１２ｒに嵌まる様子を示す。
この様な姿勢になると、小さな前後荷重が対象物に作用しても、上架台４が前後方向に移動せず、地震等で、小さな前後荷重が対象物に作用すると、上架台４が前後方向に移動する。
図５の最下段に、上架台４が前後方向に移動するとき、車輪２０の球面２１が案内溝１０の前後方向に延びる輪郭を形成する左右一対の縁部１１に案内されて転動する様子が示される。
上架台４が前方向に移動すると、車輪２０の球面２１が案内溝１０の前後方向に延びる輪郭を形成する左右一対の縁部１１に案内されて転動し、前方車輪２０ｆが前方案内溝１０ｆの前端部１２ｆに嵌まり、対象物１が後方に傾く様子が示される。
この様な姿勢になると、対象物の重心が下がり、対象物１を支持する上架台４は後方に移動しにくくなる。
【００５１】
次に、本発明の第二の実施形態にかかる対象物設置機構その２の構造を、図を基に、説明する。
図６は、本発明の第二の実施形態に係る対象物設置機構その２の概念図である。
上架台４が上下方向から見て前後方向に離れて配される前後一対の案内部６ｆ、６ｒを左右に各々に設けられ、下架台５が前後方向に離れて配され案内部に前後方向に往復移動自在に案内される前後一対の被案内部７ｆ、７ｒを左右に各々に設けられる。
【００５２】
前後一対の案内部６ｆ、６ｒのうちの前方の案内部６である前方案内部６ｆが、案内溝１０ｆを持つ。
案内溝１０ｆは、上下方向から見て前後方向に延びて前後一対の端部である前端部と後端部とが円弧状に形成されて閉じた長尺の溝である。
案内溝１０の前後方向に延びる輪郭を形成する左右一対の縁部１１の幅が後方に推移するのにつれて狭くなる。
前方案内部６ｆの案内溝１０ｆの左右一対の縁部の幅が狭くなる側である後端部１２ｒが１８０度を超える円弧角度をもつ円弧状に形成されて閉じる。
後端部１２ｒの１８０度を越える円弧の曲率半径ｒ１は、後端部１２ｆに繋がる位置での左右一対の縁部１１の幅Ｌの１／２の値より大きい。
【００５３】
前後一対の案内部６ｆ、６ｒのうちの後方の案内部６である後方案内部６ｒが、案内溝１０を持ち、案内溝１０ｒは、上下方向から見て前後方向に延びて前後一対の端部である前端部と後端部とが円弧状に形成されて閉じた長尺の溝である。
案内溝１０ｒの前後方向に延びる輪郭を形成する左右一対の縁部１１の幅が前方に推移するのにつれて狭くなる。
後方案内部６ｒの案内溝１０ｒの左右一対の縁部１１の幅が狭くなる側である前端部１２ｆが１８０度を超える円弧角度をもつ円弧状に形成されて閉じる。
前端部１２ｆの１８０度を越える円弧の曲率半径ｒ１は、後端部１２ｆに繋がる位置での左右一対の縁部１１の幅Ｌの１／２の値より大きい。
【００５４】
上架台４が前後方向に移動するとき、車輪２０の球面２１が案内溝１０の前後方向に延びる輪郭を形成する左右一対の縁部１１に案内されて転動する。
図６の上から４段目に、後方車輪２０ｒの球面１２１が後方案内溝１０ｒの前端部１２ｆに嵌まる様子を示す。
この様な姿勢になると、小さな前後荷重が対象物に作用しても、上架台４が前後方向に移動せず、地震等で、小さな前後荷重が対象物に作用すると、上架台４が前後方向に移動する。
図６の最下段に、上架台４が前後方向に移動するとき、車輪２０の球面２１が案内溝１０の前後方向に延びる輪郭を形成する左右一対の縁部１１に案内されて転動する様子が示される。
上架台４が前方向に移動すると、車輪２０の球面２１が案内溝１０の前後方向に延びる輪郭を形成する左右一対の縁部１１に案内されて転動し、前方車輪２０ｆが前方案内溝１０ｆの後端部１２ｒに嵌まり、対象物１が後方に傾く様子が示される。
この様な姿勢になると、対象物の重心が下がり、対象物１を支持する上架台４は後方に移動しにくくなる。
【００５５】
次に、本発明の第三の実施形態にかかる対象物設置機構その１の構造を、図を基に、説明する。
図７は、本発明の第三の実施形態に係る対象物設置機構その１の概念図である。
下架台５が上下方向から見て前後方向に離れて配される前後一対の案内部６ｆ、６ｒを左右に各々に設けられ、上架台４が前後方向に離れて配され案内部６に前後方向に往復移動自在に案内される前後一対の被案内部７ｆ、７ｒを左右に各々に設けられる。
【００５６】
前後一対の案内部６ｆ、６ｒのうちの前方の案内部６である前方案内部６ｆが、案内溝を持つ。
案内溝１０は、上下方向から見て前後方向に延びて前後一対の端部である前端部と後端部とが円弧状に形成されて閉じた長尺の溝である。
案内溝１０の前後方向に延びる輪郭を形成する左右一対の縁部１１が平行である。
【００５７】
前後一対の案内部６ｆ、６ｒのうちの後方の案内部６である後方案内部６ｒが後方案内溝１０ｒを持ち、後方案内溝１０ｒは、上下方向から見て前後方向に延びて前後一対の端部である前端部と後端部とが円弧状に形成されて閉じた長尺の溝である
後方案内溝１０ｒの前後方向に延びる輪郭を形成する左右一対の縁部１１の幅が後方に推移するのにつれて狭くなる。
後方案内部６ｒの案内溝１０ｒの左右一対の縁部１１の幅が狭くなる側である後端部１２ｒが１８０度を超える円弧角度をもつ円弧状に形成されて閉じる。
後端部１２ｒの１８０度を越える円弧の曲率半径ｒ１は、後端部１２ｒに繋がる位置での左右一対の縁部１１の幅Ｌの１／２の値より大きい。
【００５８】
上架台４が前後方向に移動するとき、車輪２０の球面２１が案内溝１０の前後方向に延びる輪郭を形成する左右一対の縁部１１に案内されて転動する。
図７の上から４段目に、後方車輪２０ｒの球面１２１が後方案内溝１０ｒの後端部１２ｒに嵌まる様子を示す。
この様な姿勢になると、小さな前後荷重が対象物に作用しても、上架台４が前後方向に移動せず、地震等で、小さな前後荷重が対象物に作用すると、上架台４が前後方向に移動する。
図７の最下段に、上架台４が前後方向に移動するとき、車輪２０の球面２１が案内溝１０の前後方向に延びる輪郭を形成する左右一対の縁部１１に案内されて転動する様子が示される。
上架台４が前方向に移動すると、車輪２０の球面２１が案内溝１０の前後方向に延びる輪郭を形成する左右一対の縁部１１に案内されて転動し、前方車輪２０ｆが前方案内溝１０ｆの前端部１２ｆに嵌まり、後方車輪２０ｆが後方案内溝１０ｆの前端部１２ｆに嵌まり、対象物１が後方に傾く様子が示される。
この様な姿勢になると、対象物の重心が下がり、対象物１を支持する上架台４は後方に移動しにくくなる。
【００５９】
次に、本発明の第三の実施形態にかかる対象物設置機構その２の構造を、図を基に、説明する。
図８は、本発明の第三の実施形態に係る対象物設置機構その２の概念図である。
上架台４が上下方向から見て前後方向に離れて配される前後一対の案内部６ｆ、６ｒを左右に各々に設けられ、下架台５が前後方向に離れて配され案内部に前後方向に往復移動自在に案内される前後一対の被案内部７ｆ、７ｒを左右に各々に設けられる。
【００６０】
前後一対の案内部６ｆ、６ｒのうちの前方の案内部６である前方案内部６ｆが、案内溝１０ｆを持つ。
案内溝１０ｆは、上下方向から見て前後方向に延びて前後一対の端部である前端部と後端部とが円弧状に形成されて閉じた長尺の溝である。
案内溝１０ｆの前後方向に延びる輪郭を形成する左右一対の縁部１１が平行である。
【００６１】
前後一対の案内部６ｆ、６ｒのうちの後方の案内部６である後方案内部６ｒが、後方案内溝１０ｒを持ち、後方案内溝１０ｒは、上下方向から見て前後方向に延びて前後一対の端部である前端部と後端部とが円弧状に形成されて閉じた長尺の溝である
案内溝１０ｒの前後方向に延びる輪郭を形成する左右一対の縁部１１の幅が前方に推移するのにつれて狭くなる。
後方案内部６ｒの案内溝１０ｒの左右一対の縁部１１の幅が狭くなる側である前端部１２ｆが１８０度を超える円弧角度をもつ円弧状に形成されて閉じる。
前端部１２ｆの１８０度を越える円弧の曲率半径ｒ１は、前端部１２ｆに繋がる位置での左右一対の縁部１１の幅Ｌの１／２の値より大きい。
【００６２】
上架台４が前後方向に移動するとき、車輪２０の球面２１が案内溝１０の前後方向に延びる輪郭を形成する左右一対の縁部１１に案内されて転動する。
図８の上から４段目に、後方車輪２０ｒの球面１２１が後方案内溝１０ｒの前端部１２ｆに嵌まる様子を示す。
この様な姿勢になると、小さな前後荷重が対象物に作用しても、上架台４が前後方向に移動せず、地震等で、小さな前後荷重が対象物に作用すると、上架台４が前後方向に移動する。
図６の最下段に、上架台４が前後方向に移動するとき、車輪２０の球面２１が案内溝１０の前後方向に延びる輪郭を形成する左右一対の縁部１１に案内されて転動する様子が示される。
上架台４が前方向に移動すると、車輪２０の球面２１が案内溝１０の前後方向に延びる輪郭を形成する左右一対の縁部１１に案内されて転動し、前方車輪２０ｆが前方案内溝１０ｆの後端部１２ｒに嵌まり、後方車輪２０ｆが後方案内溝１０ｒの後端部１２ｒに嵌まり、対象物１が後方に傾く様子が示される。
この様な姿勢になると、対象物の重心が下がり、対象物１を支持する上架台４は後方に移動しにくくなる。
【００６３】
次に、本発明の第四の実施形態にかかる対象物設置機構その１の構造を、図を基に、説明する。
図９は、本発明の第四の実施形態に係る対象物設置機構その１の概念図である。
下架台５が上下方向から見て前後方向に離れて配される前後一対の案内部６ｆ、６ｒを左右に各々に設けられ、上架台４が前後方向に離れて配され案内部６に前後方向に往復移動自在に案内される前後一対の被案内部７ｆ、７ｒを左右に各々に設けられる。
【００６４】
前後一対の案内部６ｆ、６ｒのうちの前方の案内部６である前方案内部６ｆが、前方案内溝１０ｆを持つ。
前方案内溝１０ｆは、上下方向から見て前後方向に延びて前後一対の端部である前端部と後端部とが円弧状に形成されて閉じた長尺の溝である。
前方案内溝１０ｆの前後方向に延びる輪郭を形成する左右一対の縁部１１の幅が前方に推移するのにつれて狭くなる。
前方案内部６ｆの案内溝の１０ｆの左右一対の縁部の幅が狭くなる側である前端部１２ｆが１８０度を超える円弧角度をもつ円弧状に形成されて閉じる。
前端部１２ｆの１８０度を越える円弧の曲率半径ｒ１は、前端部１２ｆに繋がる位置での左右一対の縁部１１の幅Ｌの１／２の値より大きい。
【００６５】
前後一対の案内部６ｆ、６ｒのうちの後方の案内部６である後方案内部６ｒが、後方案内溝１０ｒを持ち、後方案内溝１０ｒは、上下方向から見て前後方向に延びて前後一対の端部である前端部と後端部とが円弧状に形成されて閉じた長尺の溝である
後方案内溝１０ｒの前後方向に延びる輪郭を形成する左右一対の縁部１１が平行である。
【００６６】
上架台４が前後方向に移動するとき、車輪２０の球面２１が案内溝１０の前後方向に延びる輪郭を形成する左右一対の縁部１１に案内されて転動する。
図９の上から４段目に、前方車輪２０ｒの球面２１が前方案内溝１０ｆの後端部１２ｒに嵌まる様子を示す。
この様な姿勢になると、小さな前後荷重が対象物に作用しても、上架台４が前後方向に移動せず、地震等で、小さな前後荷重が対象物に作用すると、上架台４が前後方向に移動する。
図９の最下段に、上架台４が前後方向に移動するとき、車輪２０の球面２１が案内溝１０の前後方向に延びる輪郭を形成する左右一対の縁部１１に案内されて転動する様子が示される。
上架台４が前方向に移動すると、車輪２０の球面２１が案内溝１０の前後方向に延びる輪郭を形成する左右一対の縁部１１に案内されて転動し、前方車輪２０ｆが前方案内溝１０ｆの前端部１２ｆに嵌まり、対象物１が後方に傾く様子が示される。
この様な姿勢になると、対象物の重心が下がり、対象物１を支持する上架台４は後方に移動しにくくなる。
【００６７】
次に、本発明の第四の実施形態にかかる対象物設置機構その２の構造を、図を基に、説明する。
図１０は、本発明の第四の実施形態に係る対象物設置機構その２の概念図である。
上架台４が上下方向から見て前後方向に離れて配される前後一対の案内部６ｆ、６ｒを左右に各々に設けられ、下架台５が前後方向に離れて配され案内部に前後方向に往復移動自在に案内される前後一対の被案内部７ｆ、７ｒを左右に各々に設けられる。
【００６８】
前後一対の案内部６ｆ、６ｒのうちの前方の案内部６である前方案内部６ｆが、案内溝１０ｆを持つ。
案内溝１０ｆは、上下方向から見て前後方向に延びて前後一対の端部である前端部と後端部とが円弧状に形成されて閉じた長尺の溝である。
案内溝１０の前後方向に延びる輪郭を形成する左右一対の縁部１１の幅が後方に推移するのにつれて狭くなる。
前方案内部６ｆの案内溝の１０ｆの左右一対の縁部の幅が狭くなる側である後端部１２ｒが１８０度を超える円弧角度をもつ円弧状に形成されて閉じる。
後端部１２ｒの１８０度を越える円弧の曲率半径ｒ１は、後端部１２ｆに繋がる位置での左右一対の縁部１１の幅Ｌの１／２の値より大きい。
【００６９】
前後一対の案内部６ｆ、６ｒのうちの後方の案内部６である後方案内部６ｒが、後方案内溝１０ｒを持ち、後方案内溝１０ｒは、上下方向から見て前後方向に延びて前後一対の端部１２である前端部１２ｆと後端部１２ｒとが円弧状に形成されて閉じた長尺の溝である
後方案内溝１０ｒの前後方向に延びる輪郭を形成する左右一対の縁部１１の幅が平行である。
【００７０】
上架台４が前後方向に移動するとき、車輪２０の球面２１が案内溝１０の前後方向に延びる輪郭を形成する左右一対の縁部１１に案内されて転動する。
図１０の上から４段目に、前方車輪２０ｆの球面２１が前方案内溝１０ｆの前端部１２ｆに嵌まる様子を示す。
この様な姿勢になると、小さな前後荷重が対象物に作用しても、上架台４が前後方向に移動せず、地震等で、小さな前後荷重が対象物に作用すると、上架台４が前後方向に移動する。
図１０の最下段に、上架台４が前後方向に移動するとき、車輪２０の球面２１が案内溝１０の前後方向に延びる輪郭を形成する左右一対の縁部１１に案内されて転動する様子が示される。
上架台４が前方向に移動すると、車輪２０の球面２１が案内溝１０の前後方向に延びる輪郭を形成する左右一対の縁部１１に案内されて転動し、前方車輪２０ｆが前方案内溝１０ｆの後端部１２ｒに嵌まり、対象物１が後方に傾く様子が示される。
この様な姿勢になると、対象物の重心が下がり、対象物１を支持する上架台４は後方に移動しにくくなる。
【００７１】
次に、本発明の第五の実施形態にかかる対象物設置機構その１の構造を、図を基に、説明する。
図１１は、本発明の第五の実施形態に係る対象物設置機構その１の概念図である。
下架台５が上下方向から見て前後方向に離れて配される前後一対の案内部６ｆ、６ｒを左右に各々に設けられ、上架台４が前後方向に離れて配され案内部６に前後方向に往復移動自在に案内される前後一対の被案内部７ｆ、７ｒを左右に各々に設けられる。
【００７２】
前後一対の案内部６ｆ、６ｒのうちの前方の案内部６である前方案内部６ｆが前方案内溝１０ｆを持つ。
前方案内溝１０ｆは、上下方向から見て前後方向に延びて前後一対の端部である前端部と後端部とが円弧状に形成されて閉じた長尺の溝である。
案内溝１０の前後方向に延びる輪郭を形成する左右一対の縁部１１の幅が平行である。
【００７３】
前後一対の案内部６ｆ、６ｒのうちの後方の案内部６である後方案内部６ｒが、後方案内溝１０ｒを持ち、後方案内溝１０ｒは、上下方向から見て前後方向に延びて前後一対の端部１２である前端部１２ｆと後端部１２ｒとが円弧状に形成されて閉じた長尺の溝である
案内溝１０ｒの前後方向に延びる輪郭を形成する左右一対の縁部１１が平行である。
後方案内部６ｒの案内溝１０ｒの左右一対の縁部１１の前端部１２ｆが１８０度を超える円弧角度をもつ円弧状に形成されて閉じる。
前端部１２ｆの１８０度を越える円弧の曲率半径ｒ２は、前端部１２ｆに繋がる位置での左右一対の縁部１１の幅Ｌの１／２の値より大きい。
【００７４】
上架台４が前後方向に移動するとき、車輪２０の球面２１が案内溝１０の前後方向に延びる輪郭を形成する左右一対の縁部１１に案内されて転動する。
図１１の上から４段目に、前方車輪２０ｆの球面２１が前方案内溝１０ｆの後端部１２ｒに嵌まり、後方車輪２０ｒの球面２１が後方案内溝１０ｒの後端部１２ｒに嵌まる様子を示す。
この様な姿勢になると、地震等で、前後荷重が対象物に作用すると、上架台４が前後方向に移動する。
図１１の最下段に、上架台４が前後方向に移動するとき、車輪２０の球面２１が案内溝１０の前後方向に延びる輪郭を形成する左右一対の縁部１１に案内されて転動する様子が示される。
上架台４が前方向に移動すると、車輪２０の球面２１が案内溝１０の前後方向に延びる輪郭を形成する左右一対の縁部１１に案内されて転動し、後方車輪２０ｒが後方案内溝１０ｆの前端部１２ｆに嵌まり、対象物１が後方に傾く様子が示される。
この様な姿勢になると、対象物の重心が下がり、対象物１を支持する上架台４は後方に移動しにくくなる。
【００７５】
次に、本発明の第五の実施形態にかかる対象物設置機構その２の構造を、図を基に、説明する。
図１２は、本発明の第五の実施形態に係る対象物設置機構その２の概念図である。
上架台４が上下方向から見て前後方向に離れて配される前後一対の案内部６ｆ、６ｒを左右に各々に設けられ、下架台５が前後方向に離れて配され案内部に前後方向に往復移動自在に案内される前後一対の被案内部７ｆ、７ｒを左右に各々に設けられる。
【００７６】
前後一対の案内部６ｆ、６ｒのうちの前方の案内部６である前方案内部６ｆが、案内溝１０ｆを持つ。
案内溝１０ｆは、上下方向から見て前後方向に延びて前後一対の端部である前端部と後端部とが円弧状に形成されて閉じた長尺の溝である。
案内溝１０の前後方向に延びる輪郭を形成する左右一対の縁部１１の幅が平行である。
【００７７】
前後一対の案内部６ｆ、６ｒのうちの後方の案内部６である後方案内部６ｒが、後方案内溝１０ｒを持ち、後方案内溝１０ｒは、上下方向から見て前後方向に延びて前後一対の端部である前端部と後端部とが円弧状に形成されて閉じた長尺の溝である
後方案内溝１０ｒの前後方向に延びる輪郭を形成する左右一対の縁部１１が平行である。
後方案内部６ｒの後方案内溝１０ｒの左右一対の縁部１１の後端部１２ｒが１８０度を超える円弧角度をもつ円弧状に形成されて閉じる。
後端部１２ｆの１８０度を越える円弧の曲率半径ｒ２は、後端部１２ｆに繋がる位置での左右一対の縁部１１の幅Ｌの１／２の値より大きい。
【００７８】
上架台４が前後方向に移動するとき、車輪２０の球面２１が案内溝１０の前後方向に延びる輪郭を形成する左右一対の縁部１１に案内されて転動する。
図１２の上から４段目に、前方車輪２０ｆの球面２１が前方案内溝１０ｆの前端部１２ｆに嵌まり、後方車輪２０ｒの球面２１が後方案内溝１０ｒの前端部１２ｆに嵌まる様子を示す。
この様な姿勢になると、地震等で、前後荷重が対象物に作用すると、上架台４が前後方向に移動する。
図１２の最下段に、上架台４が前後方向に移動するとき、車輪２０の球面２１が案内溝１０の前後方向に延びる輪郭を形成する左右一対の縁部１１に案内されて転動する様子が示される。
上架台４が前方向に移動すると、車輪２０の球面２１が案内溝１０の前後方向に延びる輪郭を形成する左右一対の縁部１１に案内されて転動し、後方車輪２０ｆが後方案内溝１０ｒの後端部１２ｒに嵌まり、対象物１が後方に傾く様子が示される。
この様な姿勢になると、対象物の重心が下がり、対象物１を支持する上架台４は後方に移動しにくくなる。
【００７９】
次に、本発明の第六の実施形態にかかる対象物設置機構その１の構造を、図を基に、説明する。
図１３は、本発明の第六の実施形態に係る対象物設置機構その１の概念図である。
下架台５が上下方向から見て前後方向に離れて配される前後一対の案内部６ｆ、６ｒを左右に各々に設けられ、上架台４が前後方向に離れて配され案内部６に前後方向に往復移動自在に案内される前後一対の被案内部７ｆ、７ｒを左右に各々に設けられる。
【００８０】
前後一対の案内部６ｆ、６ｒのうちの前方の案内部６である前方案内部６ｆが、案内溝１０ｆを持つ。
案内溝１０ｆは、上下方向から見て前後方向に延びて前後一対の端部である前端部と後端部とが円弧状に形成されて閉じた長尺の溝である。
案内溝１０の前後方向に延びる輪郭を形成する左右一対の縁部１１が平行である。
前方案内部６ｆの案内溝１０ｆの後端部１２ｒが１８０度を超える円弧角度をもつ円弧状に形成されて閉じる。
後端部１２ｒの１８０度を越える円弧の曲率半径ｒ２は、後端部１２ｆに繋がる位置での左右一対の縁部１１の幅Ｌの１／２の値より大きい。
【００８１】
前後一対の案内部６ｆ、６ｒのうちの後方の案内部６である後方案内部６ｒが、後方案内溝１０ｒを持ち、後方案内溝１０ｒは、上下方向から見て前後方向に延びて前後一対の端部である前端部と後端部とが円弧状に形成されて閉じた長尺の溝である
案内溝１０ｒの前後方向に延びる輪郭を形成する左右一対の縁部１１が平行である。
後方案内部６ｒの案内溝１０ｒの左右一対の縁部１１の前端部１２ｆが１８０度を超える円弧角度をもつ円弧状に形成されて閉じる。
前端部１２ｆの１８０度を越える円弧の曲率半径ｒ２は、前端部１２ｆに繋がる位置での左右一対の縁部１１の幅Ｌの１／２の値より大きい。
【００８２】
上架台４が前後方向に移動するとき、車輪２０の球面２１が案内溝１０の前後方向に延びる輪郭を形成する左右一対の縁部１１に案内されて転動する。
図１３の上から４段目に、前方車輪２０ｆの球面２１が前方案内溝１０ｆの後端部１２ｒに嵌まる様子を示す。
この様な姿勢になると、小さな前後荷重が対象物に作用しても、上架台４が前後方向に移動せず、地震等で、小さな前後荷重が対象物に作用すると、上架台４が前後方向に移動する。
図１３の最下段に、上架台４が前後方向に移動するとき、車輪２０の球面２１が案内溝１０の前後方向に延びる輪郭を形成する左右一対の縁部１１に案内されて転動する様子が示される。
上架台４が前方向に移動すると、車輪２０の球面２１が案内溝１０の前後方向に延びる輪郭を形成する左右一対の縁部１１に案内されて転動し、後方車輪２０ｒが後方案内溝１０ｆの前端部１２ｆに嵌まり、対象物１が後方に傾く様子が示される。
この様な姿勢になると、対象物の重心が下がり、対象物１を支持する上架台４は後方に移動しにくくなる。
【００８３】
次に、本発明の第六の実施形態にかかる対象物設置機構その２の構造を、図を基に、説明する。
図１４は、本発明の第六の実施形態に係る対象物設置機構その２の概念図である。
上架台４が上下方向から見て前後方向に離れて配される前後一対の案内部６ｆ、６ｒを左右に各々に設けられ、下架台５が前後方向に離れて配され案内部に前後方向に往復移動自在に案内される前後一対の被案内部７ｆ、７ｒを左右に各々に設けられる。
【００８４】
前後一対の案内部６ｆ、６ｒのうちの前方の案内部６である前方案内部６ｆが、前方案内溝１０ｆを持つ。
前方案内溝１０ｆは、上下方向から見て前後方向に延びて前後一対の端部である前端部と後端部とが円弧状に形成されて閉じた長尺の溝である。
案内溝１０の前後方向に延びる輪郭を形成する左右一対の縁部１１が平行である。
前方案内部６ｆの案内溝１０ｆの前端部１２ｆが１８０度を超える円弧角度をもつ円弧状に形成されて閉じる。
前端部１２ｆの１８０度を越える円弧の曲率半径ｒ２は、前端部１２ｆに繋がる位置での左右一対の縁部１１の幅Ｌの１／２の値より大きい。
【００８５】
前後一対の案内部６ｆ、６ｒのうちの後方の案内部６である後方案内部６ｒが、案内溝１０を持ち、案内溝１０ｒは、上下方向から見て前後方向に延びて前後一対の端部１２である前端部１２ｆと後端部１２ｒとが円弧状に形成されて閉じた長尺の溝である
案内溝１０ｒの前後方向に延びる輪郭を形成する左右一対の縁部１１が平行である。
後方案内部６ｒの後方案内溝１０ｒの後端部１２ｒが１８０度を超える円弧角度をもつ円弧状に形成されて閉じる。
後端部１２ｒの１８０度を越える円弧の曲率半径ｒ２は、後端部１２ｆに繋がる位置での左右一対の縁部１１の幅Ｌの１／２の値より大きい。
【００８６】
上架台４が前後方向に移動するとき、車輪２０の球面２１が案内溝１０の前後方向に延びる輪郭を形成する左右一対の縁部１１に案内されて転動する。
図１４の上から４段目に、前方車輪２０ｆの球面２１が前方案内溝１０ｒの前端部１２ｆに嵌まる様子を示す。
この様な姿勢になると、小さな前後荷重が対象物に作用しても、上架台４が前後方向に移動せず、地震等で、小さな前後荷重が対象物に作用すると、上架台４が前後方向に移動する。
図１４の最下段に、上架台４が前後方向に移動するとき、車輪２０の球面２１が案内溝１０の前後方向に延びる輪郭を形成する左右一対の縁部１１に案内されて転動する様子が示される。
上架台４が前方向に移動すると、車輪２０の球面２１が案内溝１０の前後方向に延びる輪郭を形成する左右一対の縁部１１に案内されて転動し、後方車輪２０ｒが後方案内溝１０ｒの後端部１２ｒに嵌まり、対象物１が後方に傾く様子が示される。
この様な姿勢になると、対象物の重心が下がり、対象物１を支持する上架台４は後方に移動しにくくなる。
【００８７】
上述の実施形態に係る対象物設置機構を用いれば、以下の効果を発揮する。
対象物１を支持する上架台４と設置場所２に設けられ上架台４を下側から支持する下架台４の一方に前後一対の案内部６をもうけ、他方に案内部６に前後方向に往復移動自在に案内される前後一対の被案内部７を設け、案内部６の持つ案内溝１０が前後方向に延びる長尺の溝であり、被案内部７のもつ車輪２０が案内溝１０の左右一対の縁部に案内され転動する球面２１を形成され、上架台４が前後方向に移動するとき、車輪２０の球面２１が案内溝１０の前後方向に延びる輪郭を形成する左右一対の縁部１１に案内されて転動する様にしたので、対象物１が前後に揺れるときに下架台５に対し上架台４が前後に安定して相対移動する。
また、案内溝１０の前後方向に延びる輪郭を形成する左右一対の縁部の幅が前方または後方のうちの一方に推移するのにつれて狭くなる様にしたので、車輪２０の球面２１が案内溝１０に案内されて前後方向に転動するとき、車輪２０の球面２１の中心が転動に応じて上下する。
また、案内溝１０の前後一対の端部１２のうちの左右一対の縁部の幅が狭くなる側の一方の端部１２が１８０度を超える円弧角度をもつ円弧状に形成され閉じる様にしたので、車輪２０の球面２１が案内溝１０に案内されて前後方向に転動して一方の端部１２に到達すると一方の端部１２で止まる。
また、案内溝１０の前後一対の端部１２のうちの左右一対の縁部１１の幅が狭くなる側の端部１２が１８０度を超える円弧角度をもつ円弧状に形成され閉じる様にしたので、車輪２０の球面２１が案内溝１０に案内されて前後方向に転動して左右一対の縁部１１の幅が狭くなる側の端部１２に到達すると左右一対の縁部１１の幅が狭くなる側の端部１２で止まって戻りにくくなる。
【００８８】
また、前方案内部６ｆの案内溝１０の前後方向に延びる輪郭を形成する左右一対の縁部１１の幅が前方に推移するのにつれて狭くなる様にしたので、車輪２０の球面２１が案内溝１０に案内されて前方向に転動するとき、車輪２０の球面２１の中心が転動に応じて上がる。
また、前方案内部６ｆの案内溝１０の前後一対の端部１２のうちの前端部１２が１８０度を超える円弧角度をもつ円弧状に形成され閉じる様にしたので、車輪２０の球面２１が案内溝１０に案内されて前方向に転動して端部１２に到達すると、端部１２で止まって戻りにくくなる。
また、後方案内部６ｒの案内溝１０の前後方向に延びる輪郭を形成する左右一対の縁部１１の幅が後方に推移するのにつれて狭くなる様にしたので、車輪２０の球面２１が案内溝１０に案内されて前方向に転動するとき、車輪２０の球面２１の中心が転動に応じて下がる。
また、後方案内部６ｒの案内溝１０の前後一対の端部１２のうちの後端部１２が１８０度を超える円弧角度をもつ円弧状に形成され閉じる様にしたので、車輪２０の球面２１が案内溝１０に案内されて後方向に転動して端部に到達すると、端部１２で止まって戻りにくくなる。
【００８９】
また、前方案内部６ｆの案内溝１０の前後方向に延びる輪郭を形成する左右一対の縁部１１の幅が後方に推移するのにつれて狭くなる様にしたので、車輪２０の球面２１が案内溝１０に案内されて前方向に転動するとき、車輪２０の球面２１の中心が転動に応じて上がる。
また、前方案内部６ｆの案内溝１０の前後一対の端部１２のうちの後端部１２ｆが１８０度を超える円弧角度をもつ円弧状に形成され閉じる様にしたので、車輪２０の球面２１が案内溝１０に案内されて前方向に転動して端部１２に到達すると、端部１２で止まって戻りにくくなる。
また、後方案内部６ｒの案内溝１０の前後方向に延びる輪郭を形成する左右一対の縁部１１の幅が前方に推移するのにつれて狭くなる様にしたので、車輪２０の球面２１が案内溝１０に案内されて前方向に転動するとき、車輪２０の球面２１の中心が転動に応じて下がる。
また、後方案内部６ｒの案内溝１０の前後一対の端部のうちの前端部１２が１８０度を超える円弧角度をもつ円弧状に形成され閉じる様にしたので、車輪２０の球面２１が案内溝１０に案内されて後方向に転動して端部に到達すると、端部１２で止まって戻りにくくなる。
【００９０】
本発明は以上に述べた実施形態に限られるものではなく、発明の要旨を逸脱しない範囲で各種の変更が可能である。
説明では、左右一対の車輪が左右一対の案内部に案内される場合を例に説明したが、これに限定されない。例えば、左右方向に３列の車輪が左右方向に３列の案内部に案内されてもよい。左右方向にｎ列の車輪が左右方向にｎ列の案内部に案内されてもよい。
【符号の説明】
【００９１】
ｒ１  曲率半径
ｒ２  曲率半径
Ｌ    幅寸法
１    対象物
２    設置場所
３    対象物設置機構
４    上架台
５    下架台
６    案内部
６ｆ  前方案内部
６ｒ  後方案内部
７    被案内部
７ｆ  前方被案内部
７ｒ  後方被案内部
１０    案内溝
１０ｆ  前方案内溝
１０ｒ  後方案内溝
１１    縁部
１２ｆ  前端部
１２ｒ  後端部
２０    車輪
２０ｆ  前方車輪
２０ｒ  後方車輪
２１    球面
【先行技術文献】
【特許文献】
【００９２】
【特許文献１】特開２００６−３１１１９号
【特許文献２】特開平１１−１０３９６２号
【特許文献３】特開２０００−８３７５１号
【図１】
2020000333.tif 000003
【図２】
2020000333.tif 000004
【図３】
2020000333.tif 000005
【図４】
2020000333.tif 000006
【図５】
2020000333.tif 000007
【図６】
2020000333.tif 000008
【図７】
2020000333.tif 000009
【図８】
2020000333.tif 000010
【図９】
2020000333.tif 000011
【図１０】
2020000333.tif 000012
【図１１】
2020000333.tif 000013
【図１２】
2020000333.tif 000014
【図１３】
2020000333.tif 000015
【図１４】
2020000333.tif 000016